【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
隣接画素の信号レベルがほぼ一定の基準レベルである場合の補正対象画素のＴＲＣ特性を表す関数Ｆ１を実現する第１の関数手段と、
隣接画素の信号が補正対象画素に与える影響を補正対象画素の信号レベルに応じて上記ＴＲＣ特性から取り消す補正量を表す関数Ｆ２を実現する第２の関数手段と、
上記の第１の関数手段および第２の関数手段を用いて、補正対象画素の補正前の信号レベル、および、隣接画素の補正前あるいは補正後の信号レベルに基づき、補正対象画素の補正後の信号レベルを得る補正手段と、を具備することを特徴とする色補正装置。
【請求項２】
上記補正手段は、上記補正対象画素の補正前の信号レベルをｃ０、上記隣接画素の補正前あるいは補正後の信号レベルをｄとするとき、
Ｆ１（ｃ１）＋Ｆ２（ｃ１）×ｄ＝ｃ０
を満たすように、補正対象画素の補正後の信号レベルｃ１を得るものであることを特徴とする請求項１に記載の色補正装置。
【請求項３】
上記関数Ｆ１は、隣接画素の信号レベルがほぼ最大またはほぼ最小の場合の補正対象画素のＴＲＣ特性であり、
上記関数Ｆ２は、上記２つのＴＲＣ特性の差分であることを特徴とする請求項１または２に記載の色補正装置。
【請求項４】
２つの隣接画素の信号レベルがともにほぼ一定の基準レベルである場合の補正対象画素のＴＲＣ特性を表す関数Ｆ１を実現する第１の関数手段と、
一方の隣接画素の信号が補正対象画素に与える影響を補正対象画素の信号レベルに応じて上記ＴＲＣ特性から取り消す補正量を表す関数Ｆ２を実現する第２の関数手段と、
他方の隣接画素の信号が補正対象画素に与える影響を補正対象画素の信号レベルに応じて上記ＴＲＣ特性から取り消す補正量を表す関数Ｆ３を実現する第３の関数手段と、
上記の第１の関数手段、第２の関数手段、および第３の関数手段を用いて、補正対象画素の補正前の信号レベル、および、隣接画素の補正前あるいは補正後の信号レベルに基づき、補正対象画素の補正後の信号レベルを得る補正手段と、を具備することを特徴とする色補正装置。
【請求項５】
上記補正手段は、上記補正対象画素の補正前の信号レベルをｃ０、上記２つの隣接画素の補正前あるいは補正後の信号レベルをそれぞれｄ，ｅとするとき、
Ｆ１（ｃ１）＋Ｆ２（ｃ１）×ｄ＋Ｆ３（ｃ１）×ｅ＝ｃ０
を満たすように、補正対象画素の補正後の信号レベルｃ１を得るものであることを特徴とする請求項４に記載の色補正装置。
【請求項６】
上記関数Ｆ１は、２つの隣接画素の信号レベルがほぼ最大またはほぼ最小の場合の補正対象画素のＴＲＣ特性であり、
上記関数Ｆ２は、他方の隣接画素の信号レベルがほぼ最小である場合において、一方の隣接画素の信号レベルがほぼ最大およびほぼ最小の場合の補正対象画素のＴＲＣ特性の差分であり、
上記関数Ｆ３は、一方の隣接画素の信号レベルがほぼ最小である場合において、他方の隣接画素の信号レベルがほぼ最大およびほぼ最小の場合の補正対象画素のＴＲＣ特性の差分である、ことを特徴とする請求項４または５に記載の色補正装置。
【請求項７】
隣接画素の信号レベルがほぼ一定の基準レベルである場合の補正対象画素のＴＲＣ特性を表す関数をＦ１、
隣接画素の信号が補正対象画素に与える影響を補正対象画素の信号レベルに応じて上記ＴＲＣ特性から取り消す補正量を表す関数をＦ２とするとき、
上記の関数Ｆ１および関数Ｆ２を用いて、補正対象画素の補正前の信号レベル、および、隣接画素の補正前あるいは補正後の信号レベルに基づき、補正対象画素の補正後の信号レベルを得ることを特徴とする色補正方法。
【請求項８】
上記補正対象画素の補正前の信号レベルをｃ０、上記隣接画素の補正前あるいは補正後の信号レベルをｄとするとき、
Ｆ１（ｃ１）＋Ｆ２（ｃ１）×ｄ＝ｃ０
を満たすように、補正対象画素の補正後の信号レベルｃ１を得ることを特徴とする請求項７に記載の色補正方法。
【請求項９】
２つの隣接画素の信号レベルがともにほぼ一定の基準レベルである場合の補正対象画素のＴＲＣ特性を表す関数をＦ１、
一方の隣接画素の信号が補正対象画素に与える影響を補正対象画素の信号レベルに応じて上記ＴＲＣ特性から取り消す補正量を表す関数をＦ２、
他方の隣接画素の信号が補正対象画素に与える影響を補正対象画素の信号レベルに応じて上記ＴＲＣ特性から取り消す補正量を表す関数をＦ３とするとき、
上記の関数Ｆ１、関数Ｆ２、および関数Ｆ３を用いて、補正対象画素の補正前の信号レベル、および、２つの隣接画素の補正前あるいは補正後の信号レベルに基づき、補正対象画素の補正後の信号レベルを得ることを特徴とする色補正方法。
【請求項１０】
上記補正対象画素の補正前の信号レベルをｃ０、上記２つの隣接画素の補正前あるいは補正後の信号レベルをそれぞれｄ，ｅとするとき、
Ｆ１（ｃ１）＋Ｆ２（ｃ１）×ｄ＋Ｆ３（ｃ１）×ｅ＝ｃ０
を満たすように、補正対象画素の補正後の信号レベルｃ１を得ることを特徴とする請求項９に記載の色補正方法。
【請求項１１】
請求項１から６のいずれか１項に記載の色補正装置を動作させる色補正プログラムであって、コンピュータを上記の各手段として機能させるための色補正プログラム。
【請求項１２】
請求項１１に記載の色補正プログラムを記録したコンピュータ読み取り可能な記録媒体。
【請求項１３】
カラー表示装置のＲ、Ｇ、Ｂの各チャネル毎に、隣接画素の信号レベルがほぼ最大の場合および最小の場合の２種類のＴＲＣ特性が記述されていることを特徴とする表示装置プロファイル。
【請求項１４】
カラー表示装置のＲ、Ｇ、Ｂの各チャネル毎に、隣接画素の信号レベルがほぼ最大の場合および最小の場合の２種類のＴＲＣ特性を記述することを特徴とする表示装置プロファイルの設定方法。
【請求項１５】
請求項１３に記載の表示装置プロファイルを記録したコンピュータ読み取り可能な記録媒体。
【請求項１６】
表示装置のＴＲＣ特性を用いて、補正対象画素の補正前の信号レベル、隣接画素の補正前あるいは補正後の信号レベルに基づき、補正対象画素の補正後の信号レベルを得る色補正装置であって、
前記隣接画素の信号レベルが高い場合には補正量を大きくする一方、前記隣接画素の信号レベルが低い場合には補正量を小さくすることを特徴とする色補正装置。
【請求項１７】
前記補正量は、前記隣接画素の信号レベルが第１のレベルである場合における補正対象画素の第１のＴＲＣ特性と、前記隣接画素の信号レベルが第２のレベルである場合における補正対象画素の第２のＴＲＣ特性との差分または差分の近似値に比例することを特徴とする請求項１６に記載の色補正装置。
【請求項１８】
前記第１，第２のレベルは、最大あるいは最小の信号レベルであることを特徴とする請求項１７に記載の色補正装置。
【請求項１９】
前記請求項１６乃至１８のいずれかに記載の色補正装置を備えたことを特徴とする表示装置。
【請求項２０】
表示装置のＴＲＣ特性を用いて、補正対象画素の補正前の信号レベル、隣接画素の補正前あるいは補正後の信号レベルに基づき、補正対象画素の補正後の信号レベルを得る色補正方法であって、
前記隣接画素の信号レベルが高い場合には補正量を大きくする一方、前記隣接画素の信号レベルが低い場合には補正量を小さくすることを特徴とする色補正方法。
【請求項２１】
前記補正量は、前記隣接画素の信号レベルが第１のレベルである場合における補正対象画素の第１のＴＲＣ特性と、前記隣接画素の信号レベルが第２のレベルである場合における補正対象画素の第２のＴＲＣ特性との差分または差分の近似値に比例することを特徴とする請求項２０に記載の色補正方法。
【請求項２２】
前記第１，第２のレベルは、最大あるいは最小の信号レベルであることを特徴とする請求項２１に記載の色補正方法。
【請求項２３】
請求項２０から２２のいずれか１項に記載の色補正方法をコンピュータに実行させるための色補正プログラム。
【請求項２４】
請求項２３に記載の色補正プログラムを記録したコンピュータ読み取り可能な記録媒体。
【手続補正２】
【補正対象書類名】明細書
【補正対象項目名】００３４
【補正方法】変更
【補正の内容】
【００３４】
したがって、例えば液晶表示装置のように、隣接画素との電気的・光学的クロストークによりＴＲＣ特性が変動する場合であっても、表示装置プロファイルによる正確な色再現が可能となる。なお、表示装置プロファイルには、隣接画素の信号レベルがほぼ一定の基準レベル（例えば、最小あるいは最大）である場合のＴＲＣ特性をあらかじめ記述しておく。そして、既存のツールにより作成や書き換えが容易な表示装置プロファイルを使用できるため、個体差や経時変化の影響の制御に適している。すなわち、クロストークの影響をあらかじめ固定的に制御することが困難な表示装置であっても、ユーザによって個別に調整することが可能となる。
【手続補正３】
【補正対象書類名】明細書
【補正対象項目名】００４１
【補正方法】変更
【補正の内容】
【００４１】
よって、上記色補正装置は、関数Ｆ１，Ｆ２の代わりに、関数Ｆｍａｘ，Ｆｍｉｎを用いて構成できる。そして、これらの関数Ｆｍａｘ，Ｆｍｉｎも、第１の関数手段および第２の関数手段と同様に、例えば、あらかじめ設定された演算式に従って演算するように構成することもできるし、あらかじめ設定されたＬＵＴを参照するように構成することもできる。もちろん、一方を演算による構成とし、他方をＬＵＴによる構成とすることも可能である。この場合、隣接画素の信号レベルが最大の場合と最小の場合の２種類のＴＲＣ特性を表示装置プロファイルファイルに記述する、あるいは各ＴＲＣ特性を記述した２種類の表示装置プロファイルファイルを作成し、この２種類のＴＲＣ特性から隣接画素の影響を考慮した適当なＴＲＣ特性を得る。
【手続補正４】
【補正対象書類名】明細書
【補正対象項目名】００４９
【補正方法】変更
【補正の内容】
【００４９】
したがって、例えば液晶表示装置のように、隣接画素との電気的・光学的クロストークによりＴＲＣ特性が変動する場合であっても、表示装置プロファイルによる正確な色再現が可能となる。なお、表示装置プロファイルには、隣接画素の信号レベルがほぼ一定の基準レベル（例えば、最小あるいは最大）である場合のＴＲＣ特性をあらかじめ記述しておく。そして、既存のツールにより作成や書き換えが容易な表示装置プロファイルを使用できるため、個体差や経時変化の影響の制御に適している。すなわち、クロストークの影響をあらかじめ固定的に制御することが困難な表示装置であっても、ユーザによって個別に調整することが可能となる。
【手続補正５】
【補正対象書類名】明細書
【補正対象項目名】００５６
【補正方法】変更
【補正の内容】
【００５６】
よって、上記色補正装置は、関数Ｆ１，Ｆ２，Ｆ３の代わりに、関数Ｆｍａｘ１，Ｆｍａｘ２，Ｆｍｉｎを用いるように構成できる。そして、これらの関数Ｆｍａｘ１，Ｆｍａｘ２，Ｆｍｉｎも、第１の関数手段および第２の関数手段と同様に、例えば、あらかじめ設定された演算式に従って演算するように構成することもできるし、あらかじめ設定されたＬＵＴを参照するように構成することもできる。もちろん、一部を演算による構成とし、残りをＬＵＴによる構成とすることも可能である。この場合、隣接画素の信号レベルが最大の場合と最小の場合の２種類のＴＲＣ特性を表示装置プロファイルファイルに記述する、あるいは各ＴＲＣ特性を記述した２種類の表示装置プロファイルファイルを作成し、この２種類のＴＲＣ特性から隣接画素の影響を考慮した適当なＴＲＣ特性を得る。
【手続補正６】
【補正対象書類名】明細書
【補正対象項目名】００６１
【補正方法】変更
【補正の内容】
【００６１】
本発明の表示装置プロファイルは、カラー表示装置のＲ、Ｇ、Ｂの各チャネル毎に、隣接画素の信号レベルがほぼ最大の場合および最小の場合の２種類のＴＲＣ特性が記述されていることを特徴としている。
【手続補正７】
【補正対象書類名】明細書
【補正対象項目名】００６２
【補正方法】変更
【補正の内容】
【００６２】
また、本発明の表示装置プロファイルの設定方法は、カラー表示装置のＲ、Ｇ、Ｂの各チャネル毎に、隣接画素の信号レベルがほぼ最大の場合および最小の場合の２種類のＴＲＣ特性を記述することを特徴としている。
【手続補正８】
【補正対象書類名】明細書
【補正対象項目名】００６３
【補正方法】変更
【補正の内容】
【００６３】
また、本発明の表示装置プロファイルを記録したコンピュータ読み取り可能な記録媒体は、上記表示装置プロファイルをコンピュータ読み取り可能に記録していることを特徴としている。
【手続補正９】
【補正対象書類名】明細書
【補正対象項目名】００６４
【補正方法】変更
【補正の内容】
【００６４】
上記の構成および方法により、上記表示装置プロファイルには、補正対象画素のＴＲＣ特性が、隣接画素の信号レベルがほぼ最大の場合および最小の場合の２種類、カラー表示装置のＲ、Ｇ、Ｂの各チャネル毎に記述されている。
【手続補正１０】
【補正対象書類名】明細書
【補正対象項目名】００６５
【補正方法】変更
【補正の内容】
【００６５】
よって、上記表示装置プロファイルを利用すれば、上述した色補正装置に隣接画素の信号レベルがほぼ最大またはほぼ最小の場合の補正対象画素のＴＲＣ特性（関数Ｆ１）と、最大の場合のＴＲＣ特性と最小の場合のＴＲＣ特性との差分（関数Ｆ２，Ｆ３）とを設定できる。
【手続補正１１】
【補正対象書類名】明細書
【補正対象項目名】００６７
【補正方法】変更
【補正の内容】
【００６７】
なお、上記表示装置プロファイルは、カラー表示装置（ディスプレイ）のメーカやユーザによって設定され、記録媒体に記録される。また、上記表示装置プロファイルは、その利用が上述した色補正装置に限定されず、隣接画素の信号レベルがほぼ最大の場合および最小の場合の２種類のＴＲＣ特性を利用する装置であれば、任意の装置によって利用可能である。
【手続補正１２】
【補正対象書類名】明細書
【補正対象項目名】０１７７
【補正方法】変更
【補正の内容】
【０１７７】
したがって、例えば液晶表示装置のように、隣接画素との電気的・光学的クロストークによりＴＲＣ特性が変動する場合であっても、表示装置プロファイルによる正確な色再現が可能となる。そして、既存のツールにより作成や書き換えが容易な表示装置プロファイルを使用できるため、個体差や経時変化の影響の制御に適している。すなわち、クロストークの影響をあらかじめ固定的に制御することが困難な表示装置であっても、ユーザによって個別に調整することが可能となるという効果を奏する。また、ＬＵＴのサイズを小さくでき、メモリが節約できるとともに、データの作成が容易になるという効果を奏する。
【手続補正１３】
【補正対象書類名】明細書
【補正対象項目名】０１８５
【補正方法】変更
【補正の内容】
【０１８５】
したがって、例えば液晶表示装置のように、隣接画素との電気的・光学的クロストークによりＴＲＣ特性が変動する場合であっても、表示装置プロファイルによる正確な色再現が可能となる。そして、既存のツールにより作成や書き換えが容易な表示装置プロファイルを使用できるため、個体差や経時変化の影響の制御に適している。すなわち、クロストークの影響をあらかじめ固定的に制御することが困難な表示装置であっても、ユーザによって個別に調整することが可能となるという効果を奏する。また、ＬＵＴのサイズを小さくでき、メモリが節約できるとともに、データの作成が容易になるという効果を奏する。
【手続補正１４】
【補正対象書類名】明細書
【補正対象項目名】０１９２
【補正方法】変更
【補正の内容】
【０１９２】
本発明の表示装置プロファイルは、カラー表示装置のＲ、Ｇ、Ｂの各チャネル毎に、隣接画素の信号レベルがほぼ最大の場合および最小の場合の２種類のＴＲＣ特性が記述されている構成である。
【手続補正１５】
【補正対象書類名】明細書
【補正対象項目名】０１９３
【補正方法】変更
【補正の内容】
【０１９３】
また、本発明の表示装置プロファイルの設定方法は、カラー表示装置のＲ、Ｇ、Ｂの各チャネル毎に、隣接画素の信号レベルがほぼ最大の場合および最小の場合の２種類のＴＲＣ特性を記述する方法である。
【手続補正１６】
【補正対象書類名】明細書
【補正対象項目名】０１９４
【補正方法】変更
【補正の内容】
【０１９４】
また、本発明の表示装置プロファイルを記録したコンピュータ読み取り可能な記録媒体は、上記表示装置プロファイルをコンピュータ読み取り可能に記録している記録媒体である。
【手続補正１７】
【補正対象書類名】明細書
【補正対象項目名】０１９５
【補正方法】変更
【補正の内容】
【０１９５】
それゆえ、上記表示装置プロファイルを利用すれば、上述した色補正装置に隣接画素の信号レベルがほぼ最大またはほぼ最小の場合の補正対象画素のＴＲＣ特性（関数Ｆ１）と、最大の場合のＴＲＣ特性と最小の場合のＴＲＣ特性との差分（関数Ｆ２，Ｆ３）とを設定できる。